(57)【要約】【課題】特に起伏機能を有するベッド等におけるボトムに対応させた構造とし、ベッド上から転落しないようにするための転落防止装置を提供する。【解決手段】ボトムに応じて分割した、厚さ方向に拡縮可能なエアマットレスユニット４ａ、４ｂ、４ｃ、４ｄを載置する。これらエアマットレスユニット４ａ〜４ｄには、コントローラ５の制御下にエアを送り込むエア圧調整手段６を接続する。前記ベッド装置１におけるボード７に、人体が前記エアマットレスユニット４ａ〜４ｄ上においてベッド側面側に寄ったところを検出する検出手段８を配設する。前記エアマットレスユニット４ａ〜４ｄは、それぞれ、中央周辺箇所は等厚さで膨張する複数に区画した中央袋体Ｍｃと、ベッド両側面寄りに対応する箇所に、側面側が最も厚くなるように膨張する側部袋体Ｍｓ１，Ｍｓ２とで構成する。【選択図】　　　　　　　図１
2004008466.tif 000002
【特許請求の範囲】
【請求項１】
起伏機能を有するベッド等のボトムに対応して分割すると共に、ボトム上に載置して、それぞれベッド側面寄りの箇所を、厚さ方向に拡縮可能な流体マットレスユニットで構成し、人体が前記ベッド側面側に近寄ったところを検出する検出手段を有し、この検出手段によって人体がベッド側面側に近寄ったところを検出することで、前記流体マットレスユニットにおけるベッド側面寄りの箇所に流体を送り込んで、前記ベッド側面寄りの箇所を、厚さ方向に膨出させて、人体をベッド側面から転落するのを阻止する一方、人体が前記ベッド側面寄りの箇所から離れたことで、前記流体マットレスユニットにおけるベッド側面寄りの箇所内の流体圧を調整して厚さを元に戻す流体圧調整手段を備えたことを特徴とする起伏機能を有するベッド等における転落防止装置。
【請求項２】
前記流体マットレスユニットを中央周辺箇所は等厚さで膨張する複数に区画した中央袋体と、ベッド両側面寄りに対応する箇所に、側面側が最も厚くなるように膨張する側部袋体とで構成したことを特徴とする請求項１記載の起伏機能を有するベッド等における転落防止装置。
【請求項３】
起伏機能を有するベッド等のボトムに対応して分割して、マットレス下に載置するようにした、それぞれ厚さ方向に拡縮可能な膨縮マットで構成し、人体が前記マットレス上においてベッド側面側に近寄ったところを検出する検出手段を有し、前記膨縮マットに流体を送り込んで膨縮マットを膨出させ、マットレス側面側をマットレス厚さ方向に突出させて人体をベッド側面から転落するのを阻止する一方、人体が前記マットレスのベッド側面寄りの箇所から離れたことで、前記膨縮マットのベッド側面寄りの箇所内の流体圧を調整してマットレスの高さを元に戻す流体圧調整手段とを備えたことを特徴とする起伏機能を有するベッド等における転落防止装置。
【請求項４】
前記膨縮マットをベッド長手方向中心軸に近接する中央箇所に対応する固定部と、ベッド幅方向両側面近傍に対応する膨張部とによって構成し、前記膨張部は、固定部との取付箇所からベッド幅方向側端に向かってベッド幅方向側端を先端として扇形状に膨張する、複数の膨張ユニットに区画構成し、前記流体圧調整手段とそれぞれ流体をやりとりするように連結してなることを特徴とする請求項３記載の起伏機能を有するベッド等における転落防止装置。
【請求項５】
前記流体圧調整手段は、検出手段からの検出信号に基づきエアを送り込むエアコンプレッサを備えたことを特徴とする請求項１ないし４記載の起伏機能を有するベッド等における転落防止装置。
【請求項６】
前記検出手段により人体がベッド側面側に近寄ったことを検出して、報知するようにしたことを特徴とする請求項１、３、５記載の起伏機能を有するベッド等における転落防止装置。
【請求項７】
前記検出手段に、赤外線センサを用いたことを特徴とする請求項１、３、５、６記載の起伏機能を有するベッド等における転落防止装置。
【請求項８】
前記検出手段に、超音波センサを用いたことを特徴とする請求項１、３、５、６記載の起伏機能を有するベッド等における転落防止装置。
【請求項９】
前記検出手段に、圧力センサを用いたことを特徴とする請求項１、３、５、６記載の起伏機能を有するベッド等における転落防止装置。
【請求項１０】
前記ベッド等の中央部位に人体が存在するか否かを検出する荷重検出手段を設け、この荷重検出手段により人体が存在しないとし、且つ前記検出手段により人体がベッド側面側にも存在しないとした際に、使用者が転落したかまたはベッドを離れたとして報知するようにしたことを特徴とする請求項１または３記載の起伏機能を有するベッド等における転落防止装置。
【発明の詳細な説明】
【０００１】
【発明の属する技術分野】
本発明は、特に起伏機能を有するベッド等におけるボトムに対応させた構造とし、ベッド上から転落しないようにするための、起伏機能を有するベッド等における転落防止装置に関するものである。
【０００２】
【従来の技術】
従来より、ベッドには、転落防止用の柵が備えられている。かかる柵は、背に対応するボトム脇とか、足に対応するボトム脇の箇所をカバーする、部分的なものが多い。
また、中にはベッド側面を全面的にカバーする柵もある。
さらには、最近、転落対策用としてマットレス両側面側にマットレス上面より突出させるようにサイドサポート部材を配置したベッド装置もある。
【０００３】
【発明が解決しようとする課題】
しかしながら、そのような柵が備えられているにもかかわらず、
（１）完全に転落を防止することは困難である。
（２）就寝時に手足をぶつけて怪我するおそれがある。
（３）柵とマットレス、サイドフレーム等との隙間に挟まるおそれがある。
（４）ベッド使用者に拘束感を抱かせる。
（５）柵は非使用時には邪魔になり、そのために取り外す必要が出てくるので、取り外す手間を要し、保管場所も考慮せねばならない。
（６）折り畳み式側柵では、ベッドから使用者を車椅子等に移乗させる際、邪魔になる。
（７）サイドサポート部材においても、移乗の際に支障がある場合もある。
本発明は、以上のような課題を克服するために提案されたものであって、特に起伏機能を有するベッド等におけるボトムに対応させた構造とし、人体がベッド等の側面寄りに寄ってきたことを検出して、ベッド等の側面側を厚さ方向に突出させることで、ベッド上から人体を転落させないように支えるようにした、起伏機能を有するベッド等における転落防止装置を提供することを目的とする。
【０００４】
【課題を解決するための手段】
前記した課題を解決するために、本発明では、請求項１において、起伏機能を有するベッド等のボトムに対応して分割すると共に、ボトム上に載置して、それぞれベッド側面寄りの箇所を、厚さ方向に拡縮可能な流体マットレスユニットで構成し、人体が前記ベッド側面側に近寄ったところを検出する検出手段を有し、この検出手段によって人体がベッド側面側に近寄ったところを検出することで、前記流体マットレスユニットにおけるベッド側面寄りの箇所に流体を送り込んで、前記ベッド側面寄りの箇所を、厚さ方向に膨出させて、人体をベッド側面から転落するのを阻止する一方、人体が前記ベッド側面寄りの箇所から離れたことで、前記流体マットレスユニットにおけるベッド側面寄りの箇所内の流体圧を調整して厚さを元に戻す流体圧調整手段を備えた起伏機能を有するベッド等における転落防止装置を提案する。
また本発明では、請求項２において、前記流体マットレスユニットを中央周辺箇所は等厚さで膨張する複数に区画した中央袋体と、ベッド両側面寄りに対応する箇所に、側面側が最も厚くなるように膨張する側部袋体とで構成した起伏機能を有するベッド等における転落防止装置を提案する。
また本発明では、請求項３において、起伏機能を有するベッド等のボトムに対応して分割して、マットレス下に載置するようにした、それぞれ厚さ方向に拡縮可能な膨縮マットで構成し、人体が前記マットレス上においてベッド側面側に近寄ったところを検出する検出手段を有し、前記膨縮マットに流体を送り込んで膨縮マットを膨出させ、マットレス側面側をマットレス厚さ方向に突出させて人体をベッド側面から転落するのを阻止する一方、人体が前記マットレスのベッド側面寄りの箇所から離れたことで、前記膨縮マットのベッド側面寄りの箇所内の流体圧を調整してマットレスの高さを元に戻す流体圧調整手段とを備えた起伏機能を有するベッド等における転落防止装置を提案する。
また本発明では、請求項４において、前記膨縮マットをベッド長手方向中心軸に近接する中央箇所に対応する固定部と、ベッド幅方向両側面近傍に対応する膨張部とによって構成し、前記膨張部は、固定部との取付箇所からベッド幅方向側端に向かってベッド幅方向側端を先端として扇形状に膨張する、複数の膨張ユニットに区画構成し、前記流体圧調整手段とそれぞれ流体をやりとりするように連結してなる起伏機能を有するベッド等における転落防止装置を提案する。
また本発明では、請求項５において、前記流体圧調整手段は、検出手段からの検出信号に基づきエアを送り込むエアコンプレッサを備えた起伏機能を有するベッド等における転落防止装置を提案する。
また本発明では、請求項６において、前記検出手段により人体がベッド側面側に近寄ったことを検出して、報知するようにした起伏機能を有するベッド等における転落防止装置を提案する。
また本発明では、請求項７において、前記検出手段に、赤外線センサを用いた起伏機能を有するベッド等における転落防止装置を提案する。
また本発明では、請求項８において、前記検出手段に、超音波センサを用いた起伏機能を有するベッド等における転落防止装置を提案する。
また本発明では、請求項９において、前記検出手段に、圧力センサを用いた起伏機能を有するベッド等における転落防止装置を提案する。
さらに本発明では、請求項１０において、前記ベッド等の中央部位に人体が存在するか否かを検出する荷重検出手段を設け、この荷重検出手段により人体が存在しないとし、且つ前記検出手段により人体がベッド側面側にも存在しないとした際に、使用者が転落したかまたはベッドを離れたとして報知するようにした起伏機能を有するベッド等における転落防止装置を提案する。
【０００５】
なお本発明において、ベッド等とは、病院用ベッドを初めとして、在宅用ベッドも含むものとする。
【０００６】
請求項１によれば、起伏機能を有するベッド等のボトムに対応して流体マットレスユニットに分割したことで、ボトムが平坦な状態においても、傾斜した状態においてもボトムに追従する。
人体が例えば就寝中に寝返りによってベッド側面寄りにもたらされると、検出手段により人体がベッド側面に寄ったとする検出信号が流体圧調整手段に送出され、流体圧調整手段から、前記流体マットレスユニットにおけるベッド側面寄りの箇所に流体を送り込んでベッド側面寄りの流体マットレスユニットを、厚さ方向に膨出させて、人体をベッド側面から転落しないように支えることができる。
【０００７】
請求項２によれば、流体圧調整手段から、流体マットレスユニットの細かく区画した中央袋体および側部袋体に流体を送り込んで、ベッド両側面寄りに対応する側部袋体を、ベッド側面側が最も厚くなるように膨張させて、人体をベッド側面から転落しないように支えることができる。
【０００８】
請求項３によれば、ボトムが平坦な状態においても、傾斜した状態においても人体が例えば就寝中に寝返りによってベッド側面寄りにもたらされると、検出手段により人体がベッド側面に寄ったとする検出信号が流体圧調整手段に送出され、流体圧調整手段から、前記ベッド側面寄りの膨縮マットに流体を送り込んで前記膨縮マットを膨出させることで、マットレス側面側をマットレス厚さ方向に突出させて人体をベッド側面から転落するのを阻止することができる。
【０００９】
請求項４によれば、流体圧調整手段から膨縮マットに流体を送り込むことで、膨縮マットにおける、ベッド幅方向両側面近傍に対応する膨張部は、固定部との取付箇所からベッド幅方向側端に向かってベッド幅方向側端を先端として扇形状に膨張し、前記膨張部は人体をベッド側面から転落するのを阻止する支えとなる。
【００１０】
請求項５によれば、検出手段により人体がベッド側面に寄ったとする検出信号が流体圧調整手段に送出されると、エアコンプレッサが起動してエアをベッド両側面寄りに対応する側部袋体に送り込んで、側部袋体をベッド側面側が最も厚くなるように膨張させることができる。
【００１１】
請求項６によれば、検出手段により人体が前記マットレス上においてベッド側面側に近寄ったことを検出して、報知するようにしたので、介護者等に使用者が転落のおそれがあることや、徘徊せんとすることを前もって知らせることができ、介護者等は直ちにベッド傍らに急行して転落や徘徊を未然に防止することができる。
【００１２】
請求項７によれば、人体がマットレスの側面寄りに寄ったことを赤外線センサによって確実に捉えることができる。
【００１３】
請求項８によれば、人体がマットレスの側面寄りに寄ったことを超音波センサによって確実に捉えることができる。
【００１４】
請求項９によれば、人体がマットレスの側面寄りに寄ったことを圧力センサによって確実に捉えることができる。
【００１５】
請求項１０によれば、荷重検出手段により人体がベッド中央に存在しないし、検出手段により人体がマットレス上のベッド側面側にも存在しないとした際に、使用者は転落したか、徘徊等でベッドを離れたと判定し、報知するようにしたので、介護者等は直ちにベッド傍らに急行して転落した使用者を助け上げたり、徘徊しているであろう使用者を速やかに連れ戻すことができる。
【００１６】
【発明の実施の形態】
以下、本発明にかかる起伏機能を有するベッド等における転落防止装置につき、一つの実施の形態を示し、添付の図面に基づいて説明する。
図１〜図３に示すベッド装置１は、ボトム起伏機能を有するもので、ベッドフレーム２上に配置されるボトム３は、背に対応する背ボトム３ａ、腰に対応する腰ボトム３ｂ、膝に対応する膝ボトム３ｃ、足に対応する足ボトム３ｄに分割され、図示しない起伏機構によって、前記背ボトム３ａを傾斜させて背上げを行ったり、膝ボトム３ｃおよび足ボトム３ｄを傾斜させて膝上げを行うようにしている。
【００１７】
かかる背ボトム３ａ、腰ボトム３ｂ、膝ボトム３ｃおよび足ボトム３ｄ上には、それぞれボトムに応じて分割した、厚さ方向に拡縮可能なエアマットレスユニット４ａ、４ｂ、４ｃ、４ｄを載置するようにしている。これらエアマットレスユニット４ａ〜４ｄのうち、背ボトム３ａ、腰ボトム３ｂ上のエアマットレスユニット４ａ、４ｂ、並びに腰ボトム３ｂ上のエアマットレスユニット４ｂと膝ボトム３ｃ上のエアマットレスユニット４ｃとは、互いに対向する端面を端面間が上に向かって広がるように傾斜させている（図２参照）。
またエアマットレスユニット４ａ〜４ｄには、コントローラ５の制御下にエアを送り込む流体圧調整手段としてのエア圧調整手段６を接続している（図３，図４参照）。
そして、前記ベッド装置１におけるボード７には、人体が前記エアマットレスユニット４ａ〜４ｄ上においてベッド側面側に寄ったところを検出する検出手段８を配設している（図２，図３参照）。
【００１８】
前記エアマットレスユニット４ａ〜４ｄは、それぞれ、中央周辺箇所は等厚さで膨張する複数に区画した中央袋体Ｍｃと、ベッド両側面寄りに対応する箇所に、側面側が最も厚くなるように膨張する側部袋体Ｍｓ１，Ｍｓ２とで構成している。
【００１９】
前記エア圧調整手段６は、図４に示すようにエアコンプレッサ９と、エアコンプレッサ９からのエアを、エアマットレスユニット４ａ〜４ｄにおける中央袋体Ｍｃと、側部袋体Ｍｓ１，Ｍｓ２とに送り込むエア供給パイプ１０を備えている。また前記エア供給パイプ１０には、圧力制御弁１１、大気開放弁（図示せず）を介在している。
【００２０】
前記ボード７に配設した検出手段８としては、赤外線センサを用いることができる。また、超音波センサも可能である。さらには、検出手段８としては、前記背ボトム３ａ、腰ボトム３ｂに対応したエアマットレスユニット４ａ、４ｂにおける側部袋体Ｍｓ１，Ｍｓ２に圧力センサを配置し、人体の体重がかかったことを検出して前記コントローラ５に検出信号を送るようにしてもよい（図３中、仮想線で示した検出手段８）。
さらに、検出手段８としての圧力センサは、前記エア圧調整手段６におけるエア供給パイプ１０に介在して、エア供給パイプ１０を通過するエア圧を検知して前記コントローラ５に検出信号を送るようにすることもできる（図４においてエア供給パイプ１０中における仮想線で示した検出手段８）。
【００２１】
そして前記コントローラ５において、前記エア圧調整手段６を構成するエアコンプレッサ９を作動させるために、エアマットレスユニット４ａ〜４ｄ上において、検出手段８によって人体が前記エアマットレスユニット４ａ〜４ｄの側面寄りにもたらされたことを検出することで、特に前記エアマットレスユニット４ａ〜４ｄの側部袋体Ｍｓ１，Ｍｓ２にエアを送り込んで前記側部袋体Ｍｓ１，Ｍｓ２を、厚さ方向に膨出させて、エアマットレスユニット４ａ〜４ｄ側面側を厚さ方向に突出させる一方、人体が前記エアマットレスユニット４ａ〜４ｄ上においてベッド側面側から離れたとする検出信号に基づき、前記エアコンプレッサ９を停止させると共に、エア供給パイプ１０に介在させた大気開放弁を作動させて膨張させた側部袋体Ｍｓ１，Ｍｓ２内のエアを大気に開放し、側部袋体Ｍｓ１，Ｍｓ２を速やかに元の状態に戻す設定としている。
【００２２】
以上のような転落防止装置によれば、ベッド装置１におけるボトム起伏機構を作動させてボトム３を傾斜させた状態でも、平坦な状態においてもボトム３にエアマットレスユニット４ａ〜４ｄは追従する（図１参照）。この際、ボトム３の傾斜によって隣り合う例えば背ボトム３ａ、腰ボトム３ｂ上のエアマットレスユニット４ａ、４ｂが接近してきても、背ボトム３ａ、腰ボトム３ｂ上のエアマットレスユニット４ａ、４ｂ、並びに腰ボトム３ｂ上のエアマットレスユニット４ｂと膝ボトム３ｃ上のエアマットレスユニット４ｃとは、互いに対向する端面を端面間が上に向かって広がるように傾斜させてあり、しかもエアマットレスであるので問題はない。
人体が例えばバランスを崩したり、就寝中に寝返りによってベッド側面寄りにもたらされると、エアマットレスユニット４ａ〜４ｄ上において検出手段８によって人体が前記エアマットレスユニット４ａ〜４ｄの側面寄りに存在していると検出することができる。
前記検出手段８からの検出信号がコントローラ５に送られると、コントローラ５は、エアコンプレッサ９を作動させて、圧力制御弁１１の制御下に、特に前記エアマットレスユニット４ａ〜４ｄの側面寄りの側部袋体Ｍｓ１，Ｍｓ２にエアを送り込んで前記側部袋体Ｍｓ１，Ｍｓ２を、厚さ方向に膨出させ（図３参照）、マットレス側端が最も厚く中央に向かって傾斜するように突出するので、人体をベッド側面から転落するのを防止することができる。
【００２３】
そして、人体が前記エアマットレスユニット４ａ〜４ｄ上においてベッド側面側から離れると、コントローラ５は、エアコンプレッサ９を停止させると共に、エア供給パイプ１０に介在させた大気開放弁を作動させて膨張させた側部袋体Ｍｓ１，Ｍｓ２内のエアを大気に開放し、側部袋体Ｍｓ１，Ｍｓ２を速やかに元の状態に戻すことができる。
【００２４】
なお、ベッド装置１のボトム３をボトム起伏機構により倒伏した状態から、ボトム３上のエアマットレスから降りたり、乗ったりする際には、前記エアマットレスユニット４ａ〜４ｄの側面寄りに乗っても、エア圧調整手段６を作動させないようにしておけばエアマットレスは平坦な状態を維持するので、ベッドから降りたり、乗ったりする際に邪魔になることはない。
さらに上述のように側部袋体Ｍｓ１，Ｍｓ２が突出してきても拘束感は少ない。また、就寝時、足などをぶつけてもエアマットレスであるので、苦痛を感じるようなこともなく、エアマットレスユニット４ａ〜４ｄの側面寄りの側部袋体Ｍｓ１，Ｍｓ２が突出することにより、寝返りのような効果も期待できる。
【００２５】
本発明にかかる起伏機能を有するベッド等における転落防止装置は、次のような構成とすることもできる（図５参照）。この場合の転落防止装置では、ベッド装置１における背ボトム３ａ、腰ボトム３ｂ、膝ボトム３ｃおよび足ボトム３ｄ上に、転落防止装置を構成する膨縮マット１２を介在させてマットレスＭを載置するようにしている。
また、前記ベッド装置１長手方向一端側には、前記膨縮マット１２にエアを送り込んで膨縮マット１２を膨出させ、マットレスＭ側面側をマットレスＭ厚さ方向に突出させて人体をベッド側面から転落するのを阻止するエア圧調整手段６を設けている。
【００２６】
前記膨縮マット１２は、分割されたボトム３、すなわち背ボトム３ａ、腰ボトム３ｂ、膝ボトム３ｃおよび足ボトム３ｄに対応した面積の、マットユニット１２ａ〜１２ｄで構成したものであり、これらマットユニット１２ａ〜１２ｄは、それぞれ、ベッド中央箇所に対応する固定部１２ａｓ，１２ｂｓ，１２ｃｓ，１２ｄｓと、ベッド幅方向両側面近傍に対応する膨張部１２ａｖ，１２ｂｖ，１２ｃｖ，１２ｄｖとによって構成している。
前記固定部１２ａｓ〜１２ｄｓは、所定の厚さの単層材で構成することができる。
また前記膨張部１２ａｖ〜１２ｄｖは、固定部１２ａｓ〜１２ｄｓとの取付箇所からベッド幅方向側端に向かってベッド幅方向側端を先端として扇形状に膨張可能な袋体で構成し、複数の膨張ユニット１２ａｖｕ〜１２ｄｖｕに区画構成され、前記エア圧調整手段６におけるエアコンプレッサ９と、それぞれ圧力制御弁１１を介してエア供給パイプ１０で連結している（図６参照）。
【００２７】
以上のような転落防止装置によれば、ベッド装置１におけるボトム起伏機構を作動させてボトム３を傾斜させた状態でも、平坦な状態においても、人体が例えばバランスを崩したり、就寝中に寝返りによって、マットレスＭの側面に寄ると、ボード７に配設した検出手段８により、人体がマットレスＭのベッド側面側に寄ったとする検出信号が取り出され、エア圧調整手段６におけるコントローラ５において、コントローラ５は、エアコンプレッサ９を作動させて、圧力制御弁１１の制御下に、膨縮マット１２における膨張部１２ａｖ〜１２ｄｖの各膨張ユニット１２ａｖｕ〜１２ｄｖｕにエアが送り込まれ、これによって、各膨張ユニット１２ａｖｕ〜１２ｄｖｕは、ベッド幅方向側端に向かってベッド幅方向側端を先端として扇形状に膨張し、マットレスＭ側面側をマットレス厚さ方向に突出させることができるので、ベッド使用者のベッド側面からの転落を防止することができる（図７参照）。
【００２８】
そして、人体がマットレスＭ上においてベッド側面側から離れると、コントローラ５は、エアコンプレッサ９を停止させると共に、エア供給パイプ１０に介在させた大気開放弁を作動させて膨張させた各膨張ユニット１２ａｖｕ〜１２ｄｖｕ内のエアを大気に開放し、各膨張ユニット１２ａｖｕ〜１２ｄｖｕを速やかに元の状態に戻すことができる。
【００２９】
なお、ベッド装置１のボトム３をボトム起伏機構により倒伏した状態から、ボトム３上のマットレスＭから降りたり、乗ったりする際には、前記マットレスＭ側面寄りに乗っても、エア圧調整手段６を作動させないようにしておけば平坦な状態を維持するので、ベッドから降りたり、乗ったりする際に邪魔になることはない。
【００３０】
また、本発明にかかる起伏機能を有するベッド等における転落防止装置において、ボード７に配設した検出手段８により、人体がマットレスＭのベッド側面側に寄ったとする検出信号により、コントローラ５から報知手段１３（例えばブザー、スピーカ等）によって介護者等に報知するように構成すれば、使用者が転落のおそれがあることや、徘徊せんとすることを前もって知らせることができ、介護者等は直ちにベッド傍らに急行して転落や徘徊を未然に防止することができる（図５参照）。
【００３１】
さらに、本発明にかかる起伏機能を有するベッド等における転落防止装置においては、マットレスＭ中央部位に人体が存在するか否かを検出する荷重検出手段Ｓｐ（圧力センサ等）を設け、この荷重検出手段Ｓｐにより人体が存在しないとし、且つ前記検出手段８により人体が前記マットレスＭ上のベッド側面側にも存在しないとした際に、使用者が転落したかまたはベッドを離れたとして報知するようにすることもできる。
このようにすれば介護者等は直ちにベッド傍らに急行して転落した使用者を助け上げたり、徘徊しているであろう使用者を速やかに連れ戻すことができる。
【００３２】
【発明の効果】
以上の通り、本発明によれば、
（１）ボトムを平坦な状態でも傾斜した状態でも、人体がベッド側面寄りにもたらされると、検出手段により人体がベッド側面に寄ったとする検出信号が流体圧調整手段に送出され、流体圧調整手段から、ベッド側面寄りの箇所に流体を送り込んでベッド側面寄りの箇所を厚さ方向に膨出させて、人体をベッド側面から転落しないように支えることができる。またベッド側面側が突出してきても圧迫感や束縛感を抑えることができる。
（２）検出手段により人体が前記マットレス上においてベッド側面側に近寄ったことを検出して、報知するようにすれば、介護者等に使用者が転落のおそれがあることや、徘徊せんとすることを前もって知らせることができ、介護者等は直ちにベッド傍らに急行して転落や徘徊を未然に防止することができる。
（３）荷重検出手段により人体がベッド中央に存在しないし、検出手段により人体がマットレス上のベッド側面側にも存在しないとした際に、使用者は転落したか、徘徊等でベッドを離れたと判定し、報知するようにすれば、介護者等は直ちにベッド傍らに急行して転落した使用者を助け上げたり、徘徊しているであろう使用者を速やかに連れ戻すことができる。
（４）就寝時、突出させたベッド側面寄りの箇所に足などをぶつけても打撲を負うようなこともなく、ベッド側面寄りの箇所が突出することにより、寝返りのような効果も期待できる。
【００３３】
【図面の簡単な説明】
【図１】本発明にかかる転落防止装置を備えたベッド装置の一例を示す、外観斜視図である。
【図２】図１に示すベッド装置における転落防止装置の一側面説明図である。
【図３】図１に示すベッド装置における転落防止装置の断面説明図である。
【図４】本発明にかかる転落防止装置の一例を示す、構成ブロック図である。
【図５】本発明にかかる転落防止装置の別例を備えたベッド装置の、外観斜視図である。
【図６】本発明にかかる転落防止装置の別例を示す、構成ブロック図である。
【図７】図５に示すベッド装置における転落防止装置の作用説明図である。
【符号の説明】
１　　　　　　　　　　　　　ベッド装置
２　　　　　　　　　　　　　ベッドフレーム
３　　　　　　　　　　　　　ボトム
３ａ　　　　　　　　　　　　背ボトム
３ｂ　　　　　　　　　　　　腰ボトム
３ｃ　　　　　　　　　　　　膝ボトム
３ｄ　　　　　　　　　　　　足ボトム
４ａ，４ｂ，４ｃ，４ｄ　　　エアマットレス
５　　　　　　　　　　　　　コントローラ
６　　　　　　　　　　　　　エア圧調整手段
７　　　　　　　　　　　　　ボード
８　　　　　　　　　　　　　検出手段
９　　　　　　　　　　　　　エアコンプレッサ
１０　　　　　　　　　　　　エア供給パイプ
１１　　　　　　　　　　　　圧力制御弁
１２　　　　　　　　　　　　膨縮マット
１２ａ〜１２ｄ　　　　　　　マットユニット
１２ａｖ〜１２ｄｖ　　　　　膨張部
１２ａｓ〜１２ｄｓ　　　　　固定部
１２ａｖｕ〜１２ｄｖｕ　　　膨張ユニット
１３　　　　　　　　　　　　報知手段
Ｓｐ　　　　　　　　　　　　荷重検出手段
【図１】
2004008466.tif 000003
【図２】
2004008466.tif 000004
【図３】
2004008466.tif 000005
【図４】
2004008466.tif 000006
【図５】
2004008466.tif 000007
【図６】
2004008466.tif 000008
【図７】
2004008466.tif 000009